(57)【要約】【課題】紙粉取りローラやレジストローラを支持するフレームを本体フレームに装着するための位置決め治具を不要とでき、しかも、紙粉取りローラやレジストローラのアース経路を簡素化できる画像形成装置を提供する。【解決手段】紙粉取りローラ２８やレジストローラ２９を支持する給紙フレーム(第３フレーム)１０１が位置決め用付勢部材１０２により左側本体フレーム(第１フレーム)１０Ａに向けて付勢されることで位置決めされるため、本体フレームに給紙フレーム(第３フレーム)１０１を装着するために従来必要とされていた位置決め治具が不要となる。また、紙粉取りローラ２８に導通される第１ワイヤが位置決め用付勢部材１０２に導通され、レジストローラ２９に導通する第２ワイヤが第１ワイヤに導通されるため、紙粉取りローラ２８やレジストローラ２９のアース経路が簡素化される。【選択図】図３
2015054784.tif 000002
【特許請求の範囲】
【請求項１】
第１フレームと、
第１フレームに対向する第２フレームと、
前記第１フレームと第２フレームとの間に配置され、前記第１フレームに対して位置決めされる第３フレームと、
前記第３フレームに支持される紙粉取りローラと、
前記第３フレームに支持されて前記紙粉取りローラに対向するレジストローラと、
前記紙粉取りローラに導通される第１ワイヤと、
前記レジストローラおよび前記第１ワイヤに導通される第２ワイヤと、
前記第３フレームを前記第１フレームに向けて付勢する位置決め用付勢部材とを備え、
前記位置決め用付勢部材は、前記第１ワイヤおよび前記第２ワイヤの少なくとも一方に接触し、かつ、前記第２フレームに設けられているアース部材に導通されることを特徴とする画像形成装置。
【請求項２】
前記第１ワイヤと前記第２ワイヤとが前記位置決め用付勢部材により押圧されていることを特徴とする請求項１に記載の画像形成装置。
【請求項３】
前記第１ワイヤと前記第２ワイヤとが重なる部分が前記位置決め用付勢部材により押圧されていることを特徴とする請求項１に記載の画像形成装置。
【請求項４】
前記第１フレームおよび第２フレームが樹脂製であることを特徴とする請求項１〜３の何れか１の請求項に記載の画像形成装置。
【請求項５】
前記第２フレームが前記アース部材としての板金により補強されていることを特徴とする請求項１〜４の何れか１の請求項に記載の画像形成装置。
【発明の詳細な説明】
【技術分野】
【０００１】
本発明は、紙粉取りローラやレジストローラを有する給紙部を備えた画像形成装置に関する。
【背景技術】
【０００２】
レーザプリンタやデジタル複写機などの画像形成装置として、紙粉取りローラやレジストローラがフレームに支持された構造を有する給紙部を備えた画像形成装置が従来一般に知られている。
【０００３】
この種の画像形成装置の給紙部として、例えば、特許文献１の図４および図６には、紙粉取りローラに相当するピンチローラや、ピンチローラに対向するレジストローラ１６Ｂがフレームユニットの支持フレームに支持された構造を有する給紙ユニットが記載されている。
【０００４】
ここで、給紙ユニットは、画像形成装置の左右の本体フレームの間に装着されるように構成されている。そして、紙粉取りローラに相当するピンチローラやレジストローラに帯電した静電気を除去するため、ピンチローラは、支持フレームに固定された金属製の搬送シュートを介して本体フレームの左側のアース経路に接続され、レジストローラは、本体フレームの右側のアース経路に接続されている。
【先行技術文献】
【特許文献】
【０００５】
【特許文献１】特開２０１０−２２２１０７号公報
【発明の概要】
【発明が解決しようとする課題】
【０００６】
ところで、特許文献１に記載の画像形成装置においては、左右の本体フレームの間に給紙ユニットを装着するに当たり、例えば左側の本体フレームに向けて給紙ユニットをスライドさせ、この状態を位置決め治具により保持して左右の本体フレームの間に給紙ユニットを装着しているため、位置決め治具が必要不可欠のものとなっていた。
【０００７】
また、特許文献１に記載の画像形成装置においては、紙粉取りローラに相当するピンチローラやレジストローラをアースに接続する構造として、本体フレームの左右にそれぞれアース経路が必要となり、アース経路が複雑化していた。
【０００８】
そこで、本発明は、紙粉取りローラやレジストローラを支持する支持フレームを本体フレームに装着するための位置決め治具を不要とでき、しかも、紙粉取りローラやレジストローラのアース経路を簡素化できる画像形成装置を提供することを課題とする。
【課題を解決するための手段】
【０００９】
前述した課題を解決するための本発明に係る画像形成装置は、第１フレームと、第１フレームに対向する第２フレームと、第１フレームと第２フレームとの間に配置され、第１フレームに対して位置決めされる第３フレームと、第３フレームに支持される紙粉取りローラと、第３フレームに支持されて紙粉取りローラに対向するレジストローラと、紙粉取りローラに導通される第１ワイヤと、レジストローラおよび第１ワイヤに導通される第２ワイヤと、第３フレームを第１フレームに向けて付勢する位置決め用付勢部材とを備える。位置決め用付勢部材は、第１ワイヤおよび第２ワイヤの少なくとも一方に接触し、かつ、第２フレームに設けられているアース部材に導通される。
【００１０】
この画像形成装置では、紙粉取りローラやレジストローラを支持する第３フレームが第１フレームと第２フレームとの間に配置され、この第３フレームが位置決め用付勢部材により第１フレームに向けて付勢されることで位置決めされる。ここで、位置決め用付勢部材は、従来の位置決め治具のような単なる位置決め用部材ではなく、アース部材に導通されてアース経路を構成する部材であるため、部材の共用化により部品点数を減少することが可能となる。
【００１１】
また、紙粉取りローラに導通される第１ワイヤと、レジストローラおよび第１ワイヤに導通される第２ワイヤとの少なくとも一方に位置決め用付勢部材が接触し、この位置決め用付勢部材が第２フレームに設けられているアース部材に導通されるため、紙粉取りローラやレジストローラのアース経路が簡素化される。
【００１２】
前記した画像形成装置において、第１ワイヤと第２ワイヤとが位置決め用付勢部材により押圧されていると、第１ワイヤおよび第２ワイヤがそれぞれ位置決め用付勢部材を介してアース部材に導通され、紙粉取りローラおよびレジストローラがアース部材に良好に導通される。
【００１３】
また、第１ワイヤと第２ワイヤとが重なる部分が位置決め用付勢部材により押圧されていると、第１ワイヤと第２ワイヤとを位置決め用付勢部材の付勢力により良好に導通させることができる。
【００１４】
ここで、第３フレームを間に挟んで対向する第１フレームおよび第２フレームは、樹脂製として軽量化することができる。
【００１５】
また、第１フレームに対向する第２フレームは、アース部材としての板金により補強された構造とすることができる。
【発明の効果】
【００１６】
本発明に係る画像形成装置によれば、紙粉取りローラやレジストローラを支持する第３フレームが第１フレームと第２フレームとの間に配置され、この第３フレームが位置決め用付勢部材により第１フレームに向けて付勢されることで位置決めされるため、第１フレームと第２フレームからなる本体フレームに第３フレームを装着するために従来必要とされていた位置決め治具を不要とすることができる。
【００１７】
また、紙粉取りローラに導通される第１ワイヤと、レジストローラおよび第１ワイヤに導通される第２ワイヤとの少なくとも一方に位置決め用付勢部材が接触し、この位置決め用付勢部材が第２フレームに設けられているアース部材に導通されるため、紙粉取りローラやレジストローラのアース経路を簡素化することができる。
【図面の簡単な説明】
【００１８】
【図１】本発明の一実施形態に係る画像形成装置としてのカラープリンタの概略構成を示す側断面図である。
【図２】図１に示した給紙部の紙粉取りローラおよびレジストローラを給紙フレームに支持した給紙ユニットの概観を右後側から見て示す斜視図である。
【図３】図２に示した給紙フレームが本体フレームに装着された状態を後方から見て示す背面図である。
【図４】位置決め用付勢部材と板金製アース部材との接触状態を示す図３の部分拡大斜視図である。
【図５】位置決め用付勢部材と第１ワイヤおよび第２ワイヤとの接触状態を示す図２の部分拡大斜視図である。
【図６】位置決め用付勢部材と第１ワイヤおよび第２ワイヤとの接触状態を模式的に示す正面図であり、(ａ)は第１ワイヤと第２ワイヤが交差した状態を示し、(ｂ)は第１ワイヤと第２ワイヤが交差しない状態を示す。
【発明を実施するための形態】
【００１９】
以下、本発明に係る画像形成装置の実施形態について、適宜図面を参照しながら詳細に説明する。一実施形態の画像形成装置は、例えば図１に示すようなカラープリンタ１として具現化されている。なお、以下の説明においては、カラープリンタ１を使用するユーザが対面する側、すなわち図１の紙面の左側を「前」とし、右側を「後」、上下方向を「上下」、手前側を「右」、奥側を「左」とする。
【００２０】
＜カラープリンタの概略構成＞
図１に示すように、カラープリンタ１は、本体フレーム１０内の下部に配置された給紙部２０と、本体フレーム１０内の上部に配置された画像形成部３０と、本体フレーム１０内の後部に配置された定着部８０および排紙部９０とを主に備えている。そして、本体フレーム１０の上側には、後側を回動中心として上下に開閉可能に構成されたアッパーカバー１２が設けられている。
【００２１】
給紙部２０は、用紙Ｓを収容する用紙トレイ２１と、用紙Ｓを上方に付勢する用紙押圧板２２と、上方に付勢された用紙Ｓを摩擦接触により前方に繰り出す給紙ローラ２３と、繰り出された用紙Ｓを１枚づつ分離するための分離ローラ２４および分離パッド２５とを備えている。そして、給紙部２０の下流側には、用紙Ｓを上方から後方に反転させて搬送するための搬送部として、搬送ローラ２６およびピンチローラ２７と、紙粉取りローラ２８およびレジストローラ２９とが配置されている。
【００２２】
この給紙部２０では、用紙トレイ２１に収容された用紙Ｓが給紙ローラ２３の回転に伴い前方に繰り出されて分離ローラ２４および分離パッド２５により１枚づつ分離される。そして、用紙Ｓは、搬送部の搬送ローラ２６およびピンチローラ２７により上方に搬送され、紙粉取りローラ２８およびレジストローラ２９により後方の画像形成部３０側へ搬送される。
【００２３】
この搬送部による用紙Ｓの搬送過程において、紙粉取りローラ２７，２８は、摩擦帯電による静電気により、用紙Ｓに付着している紙粉を吸着して回収する。また、レジストローラ２９は、画像形成部３０側へ搬送される用紙Ｓの斜行を矯正する。
【００２４】
画像形成部３０は、４つのＬＥＤユニット４０と、４つのプロセスカートリッジ５０と、転写ユニット７０とから主に構成されている。各プロセスカートリッジ５０は、感光体カートリッジ５１と、感光体カートリッジ５１に対して着脱自在な現像カートリッジ６１とを備えている。
【００２５】
ＬＥＤユニット４０は、感光体ドラム５３の上方に配置され、その下端に左右方向に配列された図示しない複数のＬＥＤ（発光ダイオード）を備えている。このＬＥＤユニット４０は、画像データに基づいてＬＥＤが明滅することで、感光体ドラム５３の表面を露光する。また、ＬＥＤユニット４０は、アッパーカバー１２に保持されており、アッパーカバー１２を開くことで感光体ドラム５３から離間する。
【００２６】
各プロセスカートリッジ５０は、アッパーカバー１２と給紙トレイ２１との間で前後方向に沿って複数並んで配置されており、アッパーカバー１２が開かれた状態において本体フレーム１０に対し交換可能に装着される構成となっている。
【００２７】
各感光体カートリッジ５１は、それぞれ、感光体ドラム５３と、帯電器５４と、回収ローラ５５とを主に有して構成されている。回収ローラ５５は、感光体ドラム５３上に付着した転写残トナーを回収するためのローラである。
【００２８】
各現像カートリッジ６１は、それぞれ、現像ローラ６３と、供給ローラ６４と、層厚規制ブレード６５と、アジテータ６６と、現像剤の一例としての正帯電性のトナーが収容される収容部６７とを主に有して構成されている。
【００２９】
転写ユニット７０は、給紙トレイ２１とプロセスカートリッジ５０との間に設けられており、駆動ローラ７１と、従動ローラ７２と、無端状の搬送ベルト７３と、４つの転写ローラ７４とを主に備えている。搬送ベルト７３は、配列された各感光体ドラム５３に外側の面が対向するように駆動ローラ７１と従動ローラ７２との間に張設されている。そして、搬送ベルト７３の内側には、各感光体ドラム５３との間に搬送ベルト７３を挟持するように各転写ローラ７４が配置されている。
【００３０】
定着部８０は、画像形成部３０の４つのプロセスカートリッジ５０の後方に設けられている。この定着部８０は、用紙Ｓを加熱するための加熱ローラ８１と、この加熱ローラ８１との間に用紙Ｓを挟んで押圧するための加圧ローラ８２とを備えている。この加熱ローラ８１および加圧ローラ８２は、定着部フレーム８３に回転可能に支持されている。
【００３１】
排紙部９０は、定着部８０の後方に連続して設けられている。この排紙部９０は、少なくとも定着部８０から搬送される用紙Ｓを排紙経路９１に沿って排出口９２に搬送するための搬送ローラ９３と、排出口９２から排紙トレイ１３上に用紙Ｓを排紙するための排出ローラ９４とを排紙部フレーム９５に回転可能に支持している。
【００３２】
画像形成部３０では、感光体ドラム５３の表面が帯電器５４により一様に正帯電された後、ＬＥＤユニット４０によって露光されることで、感光体ドラム５３上に画像データに基づく静電潜像が形成される。また、収容部６７内のトナーは、アジテータ６６によって撹拌されつつ、供給ローラ６４を介して現像バイアスが印加された現像ローラ６３に供給され、現像ローラ６３と層厚規制ブレード６５の間に進入して一定厚さの薄層として現像ローラ６３上に担持される。そして、現像ローラ６３が感光体ドラム５３に接触するときにトナーが現像ローラ６３から感光体ドラム５３に供給されることで、静電潜像が可視像化され、感光体ドラム５３上に現像剤像としてのトナー像が形成される。
【００３３】
その後、画像形成部３０に供給された用紙Ｓが、感光体ドラム５３と搬送ベルト７３の間を搬送されることで、感光体ドラム５３上に形成されたトナー像が用紙Ｓ上に転写される。トナー像が転写された用紙Ｓは、定着部８０に搬送され、加熱ローラ８１と加圧ローラ８２の間を通過する間にトナー像が熱定着され、これによって、用紙Ｓ上に画像が形成される。そして、画像が形成された用紙Ｓは、搬送ローラ９３や排出ローラ９４により、排紙経路９１に沿って搬送され、排紙部フレーム９５の排出口９２を通って、本体フレーム１０の排紙トレイ１３上に排出される。
【００３４】
＜給紙部の詳細構造＞
図２に示すように、紙粉取りローラ２８およびレジストローラ２９は、相互に平行に対向した状態で、搬送部ユニット１００を構成する搬送部フレーム１０１の左フレーム部１０１Ａと右フレーム部１０１Ｂとの間に回転自在に支持されている。
【００３５】
搬送部ユニット１００の搬送部フレーム１０１は、図３に示すように、本体フレーム１０の左右の壁を構成する左側本体フレーム１０Ａと、右側本体フレームとの間に装着されている。左側本体フレーム１０Ａおよび右側本体フレーム１０Ｂは、絶縁性の合成樹脂で構成されている。ここで、左側本体フレーム１０Ａは本発明における第１フレームに相当し、右側本体フレーム１０Ｂは本発明における第２フレームに相当し、搬送部フレーム１０１は本発明における第３フレームに相当する。
【００３６】
第３フレームである搬送部フレーム１０１は、右フレーム部１０１Ｂと第２フレームである右側本体フレーム１０Ｂとの間に圧縮コイルばねからなる位置決め用付勢部材１０２が挟み込まれることにより、左フレーム部１０１Ａが第１フレームである左側本体フレーム１０Ａに押し付けられた状態で装着されている。
【００３７】
位置決め用付勢部材１０２は、具体的には圧縮コイルばねであり、アース経路の構成部材として機能できるように、導電性の金属材料により構成されている。この位置決め用付勢部材１０２は、図４および図５に示すように、搬送部フレーム１０１の右フレーム部１０１Ｂの右側の端部に形成された収容溝１０１Ｃ内に収容されている。収容溝１０１Ｃは、上方に開口して左右方向に延びる溝であり、右端が右フレーム部１０１Ｂの右側の端部に開口している。
【００３８】
位置決め用付勢部材１０２は、自由状態では、図５に示すように収容溝１０１Ｃの右端の開口部から右側端部が外側に突出している。この位置決め用付勢部材１０２は、搬送部フレーム１０１が本体フレーム１０の左側本体フレーム１０Ａと右側本体フレーム１０Ｂとの間に装着された状態では、図４に示すように、右側端部が板金製アース部材１０３に押圧されて導通されている。
【００３９】
板金製アース部材１０３は、図３に示した右側本体フレーム１０Ｂに設けられており、右側本体フレーム１０Ｂを補強している。
【００４０】
ここで、図５に拡大して示すように、搬送部フレーム１０１の右側の端部には、紙粉取りローラ２８やレジストローラ２９を図４に示した板金製アース部材１０３に導通するための導電性金属からなる第１ワイヤ１０４および第２ワイヤ１０５が配設されている。
【００４１】
第１ワイヤ１０４は、紙粉取りローラ２８を図４に示した板金製アース部材１０３に導通させるためのワイヤであり、第２ワイヤ１０５は、レジストローラ２９を図４に示した板金製アース部材１０３に導通させるためのワイヤである。
【００４２】
第１ワイヤ１０４は、一端部がフック状の保持部１０１Ｄに係止され、他端部が位置決め用付勢部材１０２の左側端部と収容溝１０１Ｃの奥部との間に挟み込まれて位置決め用付勢部材１０２に導通されている。
【００４３】
フック状の保持部１０１Ｄは、紙粉取りローラ２８の右側端部を軸支する導電性樹脂からなる導電軸受１０１Ｅと一体に形成されている。この導電軸受１０１Ｅには、導電性金属からなる第３ワイヤ１０６が巻装されており、その一端部がフック状の保持部１０１Ｄに係止されて第１ワイヤ１０４の一端部に圧接状態で導通されている。
【００４４】
第２ワイヤ１０５は、一端部がコイル状アース部材１０７の一端部に押圧されて導通されており、他端部が徐々に拡径するコイルばね状に巻かれている。
【００４５】
コイル状アース部材１０７は、導電性金属材料を圧縮コイルばね状に巻いたものであり、その他端部は、レジストローラ２９の右側端部を軸支する導電金属製の軸受け（図示省略）に圧接している。
【００４６】
ここで、第１ワイヤ１０４の他端部付近には、第２ワイヤ１０５の中間部分に接触する導通部１０４Ａが形成されている。この第１ワイヤ１０４の導通部１０４Ａは、左右方向から見て第２ワイヤ１０５の中間部分と重なっており、位置決め用付勢部材１０２の付勢力を受けて第２ワイヤ１０５の中間部分に圧接している。
【００４７】
＜給紙部での作用効果＞
本実施形態の画像形成装置であるカラープリンタ１では、左側本体フレーム１０Ａと右側本体フレーム１０Ｂとの間に配置される搬送部ユニット１００の搬送部フレーム１０１は、位置決め用付勢部材１０２により左側本体フレーム１０Ａに向けて付勢されることで位置決めされる。
【００４８】
従って、本実施形態のカラープリンタ１では、左側本体フレーム１０Ａと右側本体フレーム１０Ｂに搬送部フレーム１０１を装着するために従来必要とされていた位置決め治具が不要となる。ここで、位置決め用付勢部材１０２は、従来の位置決め治具のような単なる位置決め用部材ではなく、アース部材に導通されてアース経路を構成する部材であるため、本実施形態のカラープリンタ１では、部材の共用化により部品点数を減少することができる。
【００４９】
ここで、紙粉取りローラ２８のアース経路は、搬送部フレーム１０１の右側の端部において、導電軸受１０１Ｅ、第３ワイヤ１０６、第１ワイヤ１０４、位置決め用付勢部材１０２、板金製アース部材１０３により構成される。また、レジストローラ２９のアース経路は、搬送部フレーム１０１の右側の端部において、図示しない導電金属製の軸受け、コイル状アース部材１０７、第２ワイヤ１０５、位置決め用付勢部材１０２、板金製アース部材１０３により構成される。
【００５０】
このように、本実施形態のカラープリンタ１では、紙粉取りローラ２８のアース経路とレジストローラ２９のアース経路とが搬送部フレーム１０１の右側の端部において簡素に構成される。そして、第１ワイヤ１０４および第２ワイヤ１０５がそれぞれ位置決め用付勢部材１０２を介して板金製アース部材１０３に導通されることで、紙粉取りローラ２８およびレジストローラ２９が板金製アース部材１０３に良好に導通される。
【００５１】
本実施形態のカラープリンタ１によれば、紙粉取りローラ２８やレジストローラ２９を支持する搬送部ユニット１００の給紙フレーム(第３フレーム)１０１が本体フレーム１０の左側本体フレーム(第１フレーム)１０Ａと右側本体フレーム(第２フレーム)１０Ｂとの間に配置され、この給紙フレーム(第３フレーム)１０１が位置決め用付勢部材１０２により左側本体フレーム(第１フレーム)１０Ａに向けて付勢されることで位置決めされるため、本体フレーム１０に搬送部フレーム１０１を装着するために従来必要とされていた位置決め治具を不要とすることができる。
【００５２】
また、紙粉取りローラ２８のアース経路とレジストローラ２９のアース経路とを搬送部フレーム１０１の端部において簡素に構成することができる。そして、第１ワイヤ１０４および第２ワイヤ１０５をそれぞれ位置決め用付勢部材１０２を介して板金製アース部材１０３に導通させることで、紙粉取りローラ２８およびレジストローラ２９を板金製アース部材１０３に良好に導通させることができる。
【００５３】
さらに、本体フレーム１０の左側本体フレーム１０Ａおよび右側本体フレーム１０Ｂは、樹脂製としたため、軽量化することができる。また、右側本体フレーム１０Ｂは、板金製アース部材１０３により補強された構造とすることができる。
【００５４】
ここで、本実施形態のカラープリンタ１において、位置決め用付勢部材１０２の端部に第１ワイヤ１０４および第２ワイヤ１０５を導通させる構造は、例えば図６の（ａ）に示すように、第１ワイヤ１０４と第２ワイヤ１０５とを交差させ、その交差して重なる部分の周囲を位置決め用付勢部材１０２の端部で押圧するようにしてもよい。また、例えば図６の（ｂ）に示すように、第１ワイヤ１０４と第２ワイヤ１０５とを略平行におき、両者を位置決め用付勢部材１０２の端部で押圧するようにしてもよい。
【００５５】
以上、本発明に係る画像形成装置の一実施形態のカラープリンタ１について説明したが、本発明の画像形成装置は、一実施形態のカラープリンタ１に限定されるものではなく、例えば図５に示した位置決め用付勢部材１０２は、板バネやトーションバネに変更することができる。
【００５６】
また、本発明の画像形成装置は、モノクロのプリンタ、複写機、複合機などに適用することができる。
【符号の説明】
【００５７】
１      カラープリンタ
Ｓ      用紙
１０    本体フレーム
１０Ａ  左側本体フレーム(第１フレーム)
１０Ｂ  右側本体フレーム(第２フレーム)
２０    給紙部
２８    紙粉取りローラ
２９    レジストローラ
３０    画像形成部
８０    定着部
９０    排紙部
１００    搬送部ユニット
１０１    搬送部フレーム(第３フレーム)
１０１Ａ  左フレーム部
１０１Ｂ  右フレーム部
１０１Ｃ  収容溝
１０１Ｄ  保持部
１０１Ｅ  導電軸受
１０２    位置決め用付勢部材
１０３    板金製アース部材
１０４    第１ワイヤ
１０５    第２ワイヤ
１０６    第３ワイヤ
１０７    コイル状アース部材
１０８    コイル状アース部
【図１】
2015054784.tif 000003
【図２】
2015054784.tif 000004
【図３】
2015054784.tif 000005
【図４】
2015054784.tif 000006
【図５】
2015054784.tif 000007
【図６】
2015054784.tif 000008